(57)【要約】【課題】所望するデザイン文字を短時間で納品可能としたデザイン文字提供システムを提供する。【解決手段】依頼者が使用する依頼者用クライアント装置、及び作家が使用する作家用クライアント装置を、それぞれ電気通信回線を介して接続可能としたサーバ装置を有し、このサーバ装置は、依頼者によって入力されたデザイン文字の作成依頼情報を作家に通知する作成依頼情報通知手段と、通知された作成依頼情報に基づいて作家が作成したデザイン文字を依頼者に納品する納品手段とを有するデザイン文字提供システムであって、納品手段は、作家用クライアント装置からサーバ装置に送信されたデザイン文字データに、あらかじめ設定した補正処理を行って補正済デザイン文字データを生成し、この補正済デザイン文字データを依頼者用クライアント装置に送信することにより納品を行うこととする。【選択図】図１
2005085205.tif 000002
【特許請求の範囲】
【請求項１】
依頼者が使用する依頼者用クライアント装置、及び作家が使用する作家用クライアント装置を、それぞれ電気通信回線を介して接続可能としたサーバ装置を有し、このサーバ装置は、依頼者によって入力されたデザイン文字の作成依頼情報を作家に通知する作成依頼情報通知手段と、通知された前記作成依頼情報に基づいて作家が作成したデザイン文字を依頼者に納品する納品手段とを有するデザイン文字提供システムであって、
前記納品手段は、前記作家用クライアント装置から前記サーバ装置に送信されたデザイン文字データに、あらかじめ設定した補正処理を行って補正済デザイン文字データを生成し、この補正済デザイン文字データを前記依頼者用クライアント装置に送信することにより納品を行うデザイン文字提供システム。
【請求項２】
前記サーバ装置には、複数の作家がそれぞれ作成した見本デザイン文字を提示する見本提示手段を設け、前記作成依頼情報は、依頼者が選択したいずれか一つの見本デザイン文字と、この見本デザイン文字の形態で作成される文字列情報とで構成し、前記補正処理は、見本デザイン文字ごとに設定した画像処理を実行して補正済デザイン文字データを生成することを特徴とする請求項１記載のデザイン文字提供システム。
【請求項３】
前記サーバ装置には、見本デザイン文字ごとに受注した回数をカウントする受注カウント手段と、この受注カウント手段に基づいて作家ごとの受注回数を集計する作家別受注集計手段とを設けるとともに、この作家別受注集計手段に基づいてデザイン文字の作成価格を調整する価格調整手段を設けたことを特徴とする請求項２記載のデザイン文字提供システム。
【請求項４】
前記サーバ装置には、新規の見本デザイン文字を受付ける新規見本デザイン文字受付手段を設け、受付けた見本デザイン文字を前記見本提示手段で提示して、所定期間内に所定数の受注を得た場合に、前記デザイン文字の作家であって前記サーバ装置に作家登録されていない新規の作家を登録する作家登録手段を設けたことを特徴とする請求項２または請求項３に記載のデザイン文字提供システム。
【発明の詳細な説明】
【技術分野】
【０００１】
本発明は、依頼に基づいて所要のデザイン化を施した文字列からなるデザイン文字を作家が作成し、作成されたデザイン文字を短時間で依頼者に納品可能としたデザイン文字提供システムに関するものである。
【背景技術】
【０００２】
従来、ＤＴＰ(desktop publishing)等においては、一般的なレタリングによる文字だけでなく、筆文字や特殊な筆記具によって表記した文字等で構成した文字列からなるデザイン文字が要求される場合がある。
【０００３】
このようなデザイン文字には独創性が要求されることが多く、通常、デザイン文字は、デザイン文字の作成を専門に行う作家によって手書きで作成されている。すなわち、デザイン文字の依頼者は、作家に対して表記する文字列とその書体及び形態等の情報を伝えることにより作成依頼を行い、作家は依頼内容に適合するデザイン文字を作成して納品している。納品されたデザイン文字は所要の用紙に表記されたものであるために、デザイン文字の依頼者は、納品されたデザイン文字をスキャナ等によってデータ化して使用している。
【０００４】
このようなデザイン文字の利用形態の一つとして、年賀状等のレイアウトシステムが知られており、このレイアウトシステムの利用者が、パーソナルコンピュータを用いて印刷会社等が設けたレイアウト用サーバにアクセスし、あらかじめ設けられた図柄パターンや、所要のデザイン文字等で作成された挨拶文パターンを選択して所要のレイアウトを行うとともに、宛先情報を送信して印刷依頼を行うことにより、所要のレイアウトが施されるとともに宛名が印刷された年賀状を作成可能としている（例えば、特許文献１参照。）。
【特許文献１】特開２００２−１４９６３５号公報
【発明の開示】
【発明が解決しようとする課題】
【０００５】
しかしながら、上記したレイアウトシステムでは、あらかじめ準備された挨拶文パターンからいずれか一つを選択するものであって、オリジナルな文字列を所要のデザイン文字の形態で作成して提供可能となったものではなかった。
【０００６】
そのため、デザイン文字が必要な場合には、所要の作家に依頼して作成してもらうほかなく、デザイン文字の作成依頼から依頼されたデザイン文字が納品されるまでの期間が極めて長くなるという問題があった。
【０００７】
本発明者は、このような現状に鑑み、所要のデザイン文字を短期間で納品可能なシステムを構築すべく開発を行い、本発明を成すに至ったものである。
【課題を解決するための手段】
【０００８】
本発明のデザイン文字提供システムでは、依頼者が使用する依頼者用クライアント装置、及び作家が使用する作家用クライアント装置を、それぞれ電気通信回線を介して接続可能としたサーバ装置を有し、このサーバ装置は、依頼者によって入力されたデザイン文字の作成依頼情報を作家に通知する作成依頼情報通知手段と、通知された作成依頼情報に基づいて作家が作成したデザイン文字を依頼者に納品する納品手段とを有するデザイン文字提供システムであって、納品手段は、作家用クライアント装置からサーバ装置に送信されたデザイン文字データに、あらかじめ設定した補正処理を行って補正済デザイン文字データを生成し、この補正済デザイン文字データを依頼者用クライアント装置に送信することにより納品を行うこととした。
【０００９】
さらに、以下の点にも特徴を有するものである。すなわち、
（１）サーバ装置には、複数の作家がそれぞれ作成した見本デザイン文字を提示する見本提示手段を設け、作成依頼情報は、依頼者が選択したいずれか一つの見本デザイン文字と、この見本デザイン文字の形態で作成される文字列情報とで構成し、補正処理は、見本デザイン文字ごとに設定した画像処理を実行して補正済デザイン文字データを生成すること。
（２）サーバ装置には、見本デザイン文字ごとに受注した回数をカウントする受注カウント手段と、この受注カウント手段に基づいて作家ごとの受注回数を集計する作家別受注集計手段とを設けるとともに、この作家別受注集計手段に基づいてデザイン文字の作成価格を調整する価格調整手段を設けたこと。
（３）サーバ装置には、新規の見本デザイン文字を受付ける新規見本デザイン文字受付手段を設け、受付けた見本デザイン文字を見本提示手段で提示して、所定期間内に所定数の受注を得た場合に、前記デザイン文字の作家であってサーバ装置に作家登録されていない新規の作家を登録する作家登録手段を設けたこと。
【発明の効果】
【００１０】
請求項１記載の発明によれば、依頼者が使用する依頼者用クライアント装置、及び作家が使用する作家用クライアント装置を、それぞれ電気通信回線を介して接続可能としたサーバ装置を有し、このサーバ装置は、依頼者によって入力されたデザイン文字の作成依頼情報を作家に通知する作成依頼情報通知手段と、通知された作成依頼情報に基づいて作家が作成したデザイン文字を依頼者に納品する納品手段とを有するデザイン文字提供システムであって、納品手段は、作家用クライアント装置からサーバ装置に送信されたデザイン文字データに、あらかじめ設定した補正処理を行って補正済デザイン文字データを生成し、この補正済デザイン文字データを依頼者用クライアント装置に送信することにより納品を行うことによって、依頼者に対して極めて短期間でデザイン文字を納品することができる。
【００１１】
請求項２記載の発明によれば、サーバ装置には、複数の作家がそれぞれ作成した見本デザイン文字を提示する見本提示手段を設け、作成依頼情報は、依頼者が選択したいずれか一つの見本デザイン文字と、この見本デザイン文字の形態で作成される文字列情報とで構成し、補正処理は、見本デザイン文字ごとに設定した画像処理を実行して補正済デザイン文字データを生成することによって、サーバ装置に入力されたデザイン文字データに基づいて補正済デザイン文字データを自動的に生成することができるので、専門の修正スタッフが待機している必要がなく、速やかに補正済デザイン文字データを生成して納品することができる。
【００１２】
請求項３記載の発明によれば、サーバ装置には、見本デザイン文字ごとに受注した回数をカウントする受注カウント手段と、この受注カウント手段に基づいて作家ごとの受注回数を集計する作家別受注集計手段とを設けるとともに、この作家別受注集計手段に基づいてデザイン文字の作成価格を調整する価格調整手段を設けたことによって、例えば人気のある作家の作成価格を高くすることにより、その作家に作成依頼が集中して納期が遅れることを抑制できるとともに、人気の少ない作家の作成価格を相対的に低くすることによりその作家への作成依頼が生じやすいようにすることができ、各作家への作成依頼の均等化を図ることができる。
【００１３】
請求項４記載の発明によれば、サーバ装置には、新規の見本デザイン文字を受付ける新規見本デザイン文字受付手段を設け、受付けた見本デザイン文字を見本提示手段で提示して、所定期間内に所定数の受注を得た場合に、前記デザイン文字の作家であってサーバ装置に作家登録されていない新規の作家を登録する作家登録手段を設けたことによって、無名の作家には作品発表の機会を提供することができるとともに、依頼者に対しては新規なデザイン文字の提供を行うことができ、常に質の高いデザイン文字の提供可能とすることができる。
【発明を実施するための最良の形態】
【００１４】
本発明のデザイン文字提供システムは、図１に示すように、デザイン文字提供システムにおける各種処理を実行するプログラムを格納したサーバ装置１と、このサーバ装置１にインターネット等の電気通信回線２を介して接続する依頼者用クライアント装置３、及び作家用クライアント装置４とで構成している。
【００１５】
サーバ装置１には、デザイン文字提供のための窓口となるサイトを構築し、デザイン文字の依頼者は、このサイトへのアクセスが可能な依頼者用クライアント装置３を用いてアクセスし、後述するように作成依頼を行っている。
【００１６】
依頼者用クライアント装置３からの作成依頼情報の入力に基づいて、サーバ装置１は作家が使用する作家用クライアント装置４に作成依頼があることを通知するように構成している。作家は、作成依頼に基づいてデザイン文字を作成した後、作家用クライアント装置４を用いてサーバ装置１にデザイン文字を納品し、納品にともなって電子データとなったデザイン文字をサーバ装置１において補正することにより補正済デザイン文字データを生成し、この補正済デザイン文字データをサーバ装置１から依頼者用クライアント装置３に送信して納品するように構成している。
【００１７】
したがって、依頼者が依頼者用クライアント装置３によって作成依頼を行ってから依頼したデザイン文字を受け取るまでの時間を大きく短縮することができ、しかも、依頼者は電子データでデザイン文字を受取ることによって電子化の操作を不要とすることができるので、作業効率を極めて向上させることができる。
【００１８】
作家用クライアント装置４は、作成したデザイン文字を電子データ化することができるようにスキャナを接続したパーソナルコンピュータであってもよいし、単なるファクシミリ装置であってもよい。以下においては、作家用クライアント装置４はファクシミリ装置として説明する。
【００１９】
図１では、依頼者用クライアント装置３及び作家用クライアント装置４はそれぞれ１つずつしか記載していないが、依頼者ごと及び作家ごとに複数の依頼者用クライアント装置３及び作家用クライアント装置４が、電気通信回線２を介してサーバ装置１にそれぞれ接続可能となっている。
【００２０】
サーバ装置１は、Ｗｅｂサーバやプリケーションサーバ等の適宜のサーバ装置を組合せて構成しているものであり、後述する機能を有していればどのように構成していてもよい。
【００２１】
サーバ装置には、複数の作家にそれぞれ作成させた同一の文字列に対する１つ以上の見本デザイン文字をあらかじめ登録している。上記したサイトでは、後述するようにこの見本デザイン文字を自由に閲覧可能としている。
【００２２】
以下において、依頼者が所要のデザイン文字の作成を依頼してから納品されるまでを具体的に説明する。なお、以下においては、デザイン文字は筆文字とし、本実施形態のデザイン文字作成サービスは筆文字作成サービスとして説明を行い、上記したサイトは筆文字提供サイトであるとする。ただし、デザイン文字は筆文字に限定するものではなく、適宜のデザイン文字であってもよい。
【００２３】
まず、依頼者は、依頼者用クライアント装置３を用いてサーバ装置１の筆文字提供サイトにアクセスする。筆文字提供サイトにアクセスすると、依頼者用クライアント装置３の出力画面には、図２に示すようにメイン画面10が表示されるようにしている。
【００２４】
メイン画面10には、「見本閲覧」画面ジャンプボタン11と、「作成依頼」画面ジャンプボタン12と、「依頼書面出力」画面ジャンプボタン13と、「ＦＡＱ」画面ジャンプボタン14と、「作家登録」画面ジャンプボタン15と、「新規書体登録」画面ジャンプボタン16とを設けている。
【００２５】
依頼者が「見本閲覧」画面ジャンプボタン11を選択すると、依頼者用クライアント装置３の出力画面には、図示しない見本閲覧画面を表示するようにしており、筆文字提供サイトにおいて提供可能な形態のデザイン文字を示した見本デザイン文字を一覧表示するようにしている。これが見本提示手段である。見本閲覧画面では、作家ごと、あるいは文字列ごとに区分して見本デザイン文字を閲覧可能とするために、適宜の選択ボタンを設けている。
【００２６】
依頼者が「作成依頼」画面ジャンプボタン12を選択すると、依頼者用クライアント装置３の出力画面には、図３に示す作成依頼情報入力画面20を表示するようにしている。この作成依頼情報入力画面20において後述するように所要の情報を入力することにより、依頼者はデザイン文字の作成依頼を行えるようにしている。
【００２７】
依頼者が「依頼書面出力」画面ジャンプボタン13を選択すると、依頼者用クライアント装置３の出力画面には、印刷出力可能な依頼書面ファイルを表示するようにしている。依頼者が、この依頼書面ファイルを印刷出力することによって、紙による依頼書面を提供可能としており、この依頼書面に所要の記載を行って筆文字提供サイトの管理者に送付することによってもデザイン文字の作成依頼を行うことができるようにしている。
【００２８】
依頼者が「ＦＡＱ」画面ジャンプボタン14を選択すると、依頼者用クライアント装置３の出力画面には、図示しないＦＡＱ(Frequently Answered(Asked)Questions)画面を表示するようにしており、筆文字提供サイトの利用に関する一般的な質疑応答集を表示するようにしている。
【００２９】
なお、「作家登録」画面ジャンプボタン15が選択された場合には、図５に示す作家登録画面40を表示するようにしており、この作家登録画面40では、後述するように新規の作家を随時登録可能としている。
【００３０】
また、「新規書体登録」画面ジャンプボタン16が選択された場合には、図６に示す新規書体登録画面50を表示するようにしており、この新規書体登録画面50では、後述するように、あらかじめ登録されている作家が新規に創作した書体を随時登録可能としている。
【００３１】
上記した作成依頼情報入力画面20には、図３に示すように、依頼者の連絡先情報を入力する連絡先情報入力部21と、依頼者の注文内容情報を入力する注文内容情報入力部22と、連絡先情報入力部21及び注文内容情報入力部22に入力した内容をサーバ装置１に送信するための送信ボタン23と、連絡先情報入力部21及び注文内容情報入力部22に入力した内容をクリアするためのクリアボタン24とを設けている。
【００３２】
連絡先情報入力部21には、会社名情報を入力させる会社名入力欄21aと、依頼者の氏名を入力させる担当者氏名入力欄21bと、依頼者との連絡用の電話番号情報を入力させる連絡先電話番号入力欄21cと、作成されたデザイン文字の納品窓口となるE-mailアドレス情報を入力させる納品先E-mailアドレス入力欄21dとを設けて、依頼者を特定可能としている。なお、依頼者をあらかじめ会員登録させておき、会員識別ＩＤ及びパスワードを入力させるようにしてもよい。連絡先情報入力部21では、作成されたデザイン文字の納品先と、作成費用の請求先とが特定できればよい。
【００３３】
注文内容情報入力部22には、作成するデザイン文字の使用目的情報を入力させる使用目的情報入力部22aと、作成するデザイン文字の文字列情報を入力させる依頼文字列情報入力欄22bと、作成するデザイン文字の文字方向情報を入力させる文字方向情報入力部22cと、作成するデザイン文字の書体情報を入力させる書体情報入力欄22dと、作成するデザイン文字の詳細なデザイン条件を入力可能とした詳細条件入力欄22eを設けている。
【００３４】
使用目的情報入力部22aには複数の使用目的項目を設け、各項目の先頭部分にはチェックボックスを設けて、依頼者に所要のチェックボックスにチェックマークを付けさせることにより作成するデザイン文字の使用目的情報を入力させている。
【００３５】
依頼文字列情報入力欄22bには、作成するデザイン文字の文字列を入力させて文字列情報としている。
【００３６】
文字方向情報入力部22cには、依頼文字列情報入力欄22bに入力した文字列情報の文字列を「ヨコ書き」にするか「タテ書き」にするかをラジオボタンによって択一的に選択させることにより文字方向情報を入力させている。
【００３７】
書体情報入力欄22dには、見本閲覧画面からあらかじめ選択した見本デザイン文字にそれぞれ付したコード番号を書体情報として入力させている。
【００３８】
なお、コード番号を控えていなかった依頼者のために、書体情報入力欄22dの右隣には書体選択ボタン25を設けている。書体選択ボタン25が選択されると、依頼者用クライアント装置３の出力画面には、図４に示すように見本デザイン文字を一覧表示した見本デザイン文字選択画面30を表示するようにしている。
【００３９】
見本デザイン文字選択画面30では、スクロールボタンでスクロール可能としたスクロール表示部31に、筆文字提供サイトにおいて提供可能な形態のデザイン文字の見本デザイン文字を表示している。なお、必要に応じて作家を指定して表示させたり、見本デザイン文字の文字列を指定して表示させたりしてもよい。
【００４０】
各見本デザイン文字にはそれぞれチェックボックスを設けており、所望する形態の見本デザイン文字が見つかった場合に、チェックボックスにチェックマークを付けるようにしている。
【００４１】
スクロール表示部31の下側には、選択ボタン32と、確定ボタン33と、クリアボタン34とを設けており、依頼者が選択ボタン32を選択した場合には、チェックボックスにチェックマークが付けられた見本デザイン文字を抽出してスクロール表示部31に再表示するようにしている。
【００４２】
このように見本デザイン文字を抽出可能としていることによって、多数の見本デザイン文字の中から所望の見本デザイン文字を選択しやすくしている。特に、微妙に似通った見本デザイン文字を見比べやすくすることができるので、依頼者の希望により近い見本デザイン文字の選択を可能とすることができる。
【００４３】
一方、依頼者が確定ボタン33を選択した場合には、チェックボックスにチェックマークを付けられた見本デザイン文字のコード番号を書体情報入力欄22dに自動入力して作成依頼情報入力画面20に戻るようにしている。ここで、本実施形態では、作成依頼情報入力画面20には１つの見本デザイン文字しか選択できないようになっているが、注文内容情報入力部22を複数連ねて設けることにより複数の見本デザイン文字を指定可能として、複数のチェックボックスにチェックを付けられていた場合に、チェックが付けられた全ての見本デザイン文字を一度に指定可能としている。
【００４４】
依頼者がクリアボタン34を選択した場合には、チェックマークが付いたチェックボックスのチェックマークを全て解除するようにしている。
【００４５】
詳細条件入力欄22eには、依頼文字列情報入力欄22bに入力した文字列を、書体情報入力欄22dで指定した見本デザイン文字の形態で作成する場合の詳細なデザイン条件、例えば二段書きにするとか、特定の文字の大きさを他の文字と異ならせるとか等の条件を入力させている。
【００４６】
連絡先情報入力部21及び注文内容情報入力部22への所要情報の入力後、依頼者が送信ボタン23を選択することによって依頼者用クライアント装置３はサーバ装置１に連絡先情報入力部21及び注文内容情報入力部22に入力された情報を作成依頼情報として送信している。一方、依頼者がクリアボタン24を選択した場合には、連絡先情報入力部21及び注文内容情報入力部22に入力された内容をクリアしている。
【００４７】
サーバ装置１は、依頼者用クライアント装置３から送信された作成依頼情報を受信すると、作成依頼情報に含まれているコード番号情報によって指定された作家に対して作成依頼情報を送信し、作成依頼情報の通知を行っている。本実施形態では、作家用クライアント装置４はファクシミリ装置であるので、サーバ装置１ではファクシミリ送信が可能な形態に作成依頼情報を加工して作家用クライアント装置４に自動的に送信している。これが作成依頼情報通知手段である。なお、作家用クライアント装置４がパーソナルコンピュータ等の電子メールの送受信が可能な装置であれば、作成依頼情報を電子メールで送信してもよい。
【００４８】
作家に送信する作成依頼情報には、作成依頼情報入力画面20において入力された連絡先情報及び注文内容情報だけでなく、注文内容情報に含まれているコード番号情報の見本デザイン文字を添付して、依頼された書体を作家が別途確認する必要がないようにしている。
【００４９】
作家は、受け取った作成依頼情報に基づいて、依頼者の依頼内容に基づいたデザイン文字を作成する。
【００５０】
デザイン文字の作成後、作家は作成したデザイン文字を、作家用クライアント装置４を用いてサーバ装置１に送信して納品している。特に、作家用クライアント装置４はファクシミリ装置であるので、作家は煩雑な作業をすることなく作品を納品することができる。しかも、納品したデザイン文字は、納品にともなって電子化されることによりデザイン文字データとしてサーバ装置１に送信することができる。納品に用いるファクシミリ装置は600dpi程度の精度で読込可能なものを使用することが望ましい。
【００５１】
作家用クライアント装置４がパーソナルコンピュータであった場合には、このパーソナルコンピュータに接続したスキャナで作成したデザイン文字を電子データ化してデザイン文字データを作成し、作成したデザイン文字データをパーソナルコンピュータによってサーバ装置１に電子メールで送信して納品するようにしている。
【００５２】
サーバ装置１では、作家から納品されたデザイン文字データに対して所要の画像処理を実行している。ここで実行される画像処理は、デザイン文字を電子化してデザイン文字データとした際の装置の特性を補正する処理や、本実施形態のデザイン文字作成サービスにおける最終納品形態であるアウトラインデータとしてのデザイン文字データを生成する処理である。このような画像処理が補正処理であって、この補正処理に基づいて生成されたデザイン文字データが補正済デザイン文字データである。
【００５３】
特に、補正済デザイン文字データをアウトラインデータとしているために、デザイン文字を単に電子化したデザイン文字データからアウトラインデータを作成した場合にはデザイン文字の書体の特徴を正確に反映できなくなることがあるので、デザイン文字の書体の特徴を正確に反映したアウトランデータ化するための画像処理が必要であり、しかも、デザイン文字を単に電子化したデザイン文字データは作家用クライアント装置４の装置ごとの特性を多分に受けているので、サーバ装置１では、見本デザイン文字ごとに補正用の画像処理を設定している。
【００５４】
そして、サーバ装置１では、納品されたデザイン文字データを、作成依頼情報に含まれているコード番号情報で指定された見本デザイン文字に対して設定した画像処理を自動実行することにより補正済デザイン文字データを生成している。したがって、自動的に所要の補正済デザイン文字データを生成することができる。
【００５５】
なお、補正済デザイン文字データはアウトラインデータとなっているものに限定するものではなく、依頼者が納品形式、すなわち補正済デザイン文字データをアウトラインデータとするのか、ＪＰＥＧ形式データとするのか、あるいはＴＩＦＦ形式データとするのか等を指定可能として、依頼者が要求するデータ形式の補正済デザイン文字データを生成するようにしてもよい。
【００５６】
サーバ装置１は、このようにして生成した補正済デザイン文字データを作成依頼情報に含まれているE-mailアドレス情報に基づいて依頼者用クライアント装置３に送信することにより納品している。したがって、速やかに補正済デザイン文字データを生成して納品することができる。
【００５７】
なお、依頼者用クライアント装置３に補正済デザイン文字データを送信する前に、所要のチェック者が、生成された補正済デザイン文字データが作成依頼情報に則ったものであるかどうかをチェックするようにしてもよい。すなわち、サーバ装置１は、作成依頼情報とこの作成依頼情報に基づいて生成された補正済デザイン文字データとをチェック者が使用するパーソナルコンピュータ等に送信し、このチェック者からの送信許可情報を受信することによって依頼者用クライアント装置３への補正済デザイン文字データの送信を実行するようにすることもできる。
【００５８】
さらに、本実施形態のデザイン文字作成サービスでは、サーバ装置１には、見本デザイン文字ごとに受注した回数をカウントする受注カウンタ（図示せず）を設けている。この受注カウンタが受注カウント手段である。しかも、この受注カウンタにおけるカウント結果を作家ごとに集計して作家ごとの受注回数を算出する作家別受注カウンタ（図示せず）を設けている。この作家別受注カウンタが作家別受注集計手段である。この作家別受注カウンタを設けたことによって各作家の人気度を把握することができる。
【００５９】
しかも、本実施形態のデザイン文字作成サービスでは、作家別受注カウンタの計数結果が、あらかじめ設定した所定値よりも大きくなった場合には、デザイン文字の作成価格を所定金額だけ高くする価格調整部（図示せず）を設けている。この価格調整部が価格調整手段である。
【００６０】
このように価格調整部を設けて各作家の受注状況に応じてデザイン文字の作成価格を調整することによって、人気のある作家への作成依頼が集中して納期遅れが発生しやすくなることを抑制できるとともに、相対的に作成価格の低い作家にも作成依頼が生じやすくすることができるので、各作家への作成依頼の均等化を図ることができる。
【００６１】
以下において、メイン画面10において「作家登録」画面ジャンプボタン15が選択された場合と、「新規書体登録」画面ジャンプボタン16が選択された場合について説明する。
【００６２】
この「作家登録」画面ジャンプボタン15及び「新規書体登録」画面ジャンプボタン16は、通常、サーバ装置１への作家登録を希望する新規の作家、及びすでにサーバ装置１に作家登録されている作家が利用するものであり、それぞれ作家用クライアント装置４を用いてサーバ装置１にアクセスした場合に表示されたメイン画面10において「作家登録」画面ジャンプボタン15または「新規書体登録」画面ジャンプボタン16を選択するものとする。
【００６３】
作家登録画面40は、サーバ装置１には未だ作家登録されておらず、サーバ装置１への作家登録を希望する新規の作家を仮登録させるものであり、新規の作家用クライアント装置４を用いてサーバ装置１にアクセスすることにより表示されたメイン画面10において、「作家登録」画面ジャンプボタン15が選択されることによって表示するようにしている。
【００６４】
作家登録画面40には、登録を希望する作家の氏名を入力させる氏名入力欄41と、住所情報を入力させる住所入力欄42と、連絡用の電話番号情報を入力させる電話番号情報入力欄43と、連絡用のファクシミリ番号情報を入力させるファクシミリ番号情報入力欄44と、連絡用のE-mailアドレス情報を入力させるE-mailアドレス入力欄45と、作家識別に用いるパスワードであって希望のパスワードを入力させる希望パスワード入力欄46とを設け、さらに「登録」ボタン47と、「クリア」ボタン48とを設けている。
【００６５】
新規の作家は、各入力欄41,42,43,44,45,46にそれぞれ所要の入力を行い、「登録」ボタン47を選択することによってサーバ装置１に登録情報を入力し、サーバ装置１において作家仮登録を行うようにしている。作家仮登録された作家は、サーバ装置１に作家登録されているものではなく、あくまでも仮登録であって、サーバ装置１に作家登録されるまでは正規の作家ではないものとしている。このように作家仮登録された作家を説明の便宜上、暫定作家と呼ぶことにする。
【００６６】
サーバ装置１は、作家仮登録にともなって暫定作家に対しして、識別用のＩＤ情報とパスワード情報とを、作家登録画面40のE-mailアドレス入力欄45において入力されたE-mailアドレスに送信して、作家仮登録が完了したことを通知している。なお、「クリア」ボタン48が選択された場合には、各入力欄41,42,43,44,45,46に入力された情報を全てクリアしている。
【００６７】
新規書体登録画面50は、作家及び暫定作家が新たに創作した書体をサーバ装置１に登録させているものであり、作家または暫定作家が、作家用クライアント装置４を用いてサーバ装置１にアクセスすることによって表示されたメイン画面10において「新規書体登録」画面ジャンプボタン16を選択することによって、作家用クライアント装置４の出力画面に新規書体登録画面50を表示するようにしている。
【００６８】
ここで、作家用クライアント装置４は上記の操作を行う必要から、ファクシミリ装置ではなくパーソナルコンピュータである必要がある。また、作家または暫定作家は、サーバ装置１に登録する書体の見本デザイン文字をあらかじめ所定のフォーマットに基づいて電子データ化した見本デザイン文字データを作成しておく必要がある。
【００６９】
新規書体登録画面50には、図６に示すように、ＩＤ入力欄51と、パスワード入力欄52と、「ＯＫ」ボタン53と、「キャンセル」ボタン54とを設けている。
【００７０】
作家または暫定作家は、あらかじめ付与されたＩＤとパスワードとをＩＤ入力欄51とパスワード入力欄52とにそれぞれ入力し、「ＯＫ」ボタン53を選択することによって、作家用クライアント装置４の出力画面に図７に示すアップデート画面60を表示させるようにしている。
【００７１】
アップデート画面60には、登録文字列情報入力欄61と、新規登録書体表示部62と、この新規登録書体表示部62に表示させる見本デザイン文字データの指定操作をするための「参照」ボタン63と、「登録」ボタン64と、「キャンセル」ボタン65とを設けている。
【００７２】
作家または暫定作家は、まず、登録文字列情報入力欄61に作成した見本デザイン文字の文字列を入力する。ここで、入力される文字列は、サーバ装置１において見本用としてあらかじめ設定されている文字列であり、場合によっては、プルダウンメニューボタンによってあらかじめ設定されている見本用文字列のいずれか一つを選択することができるようにしてもよい。
【００７３】
次いで、作家または暫定作家は、「参照」ボタン63を選択することによって作家用クライアント装置４の出力画面に表示されたファイル指定用ウインドにおいて見本デザイン文字データのファイルを指定する。所定のファイルを指定することによって、作家用クライアント装置４は、指定されたファイルの見本デザイン文字データをサーバ装置１にアップロードする。
【００７４】
見本デザイン文字データがサーバ装置１にアップロードされると、アップデート画面60の新規登録書体表示部62にはアップロードされた見本デザイン文字データの見本デザイン文字を表示するようにしている。
【００７５】
作家または暫定作家は、新規登録書体表示部62に表示された見本デザイン文字を確認して、登録を希望する見本デザイン文字であった場合には、「登録」ボタン64を選択することによってサーバ装置１はその見本デザイン文字を新規の見本デザイン文字として登録するようにしている。なお、登録をキャンセルしたい場合には、「キャンセル」ボタン65を選択することによりキャンセル可能としている。これが、新規見本デザイン文字受付手段である。
【００７６】
このように新規見本デザイン文字受付手段を設けたことによって、デザイン文字提供システムにおいて提供可能なデザイン文字を漸次増加させることができ、依頼者の希望をより満足させることができるデザイン文字提供システムとすることができる。
【００７７】
上記したようにしてサーバ装置１に新たに登録された見本デザイン文字は、上記した見本閲覧画面において依頼者に対して閲覧可能としている。したがって、暫定作家に対しては、作品の発表の機会を与えることができ、有能な作家の発掘を可能とすることができる。
【００７８】
暫定作家が作成依頼を受注した場合にも、上記した作家別受注カウンタはカウントを行い、サーバ装置１は、所定期間中に所定数の作成依頼のあった暫定作家を作家として本登録するようにしている。これが作家登録手段である。
【００７９】
一方、所定期間中に所定数の作成依頼がなかった暫定作家は、暫定作家の登録を抹消するようにしている。このように、市場的に需要のない暫定作家をサーバ装置１から削除することにより、暫定作家の登録数が必要以上に増大化することを抑制して、サーバ装置１に過大な負荷がかかることを防止している。
【図面の簡単な説明】
【００８０】
【図１】本発明にかかるデザイン文字提供システムのシステム構成概略図である。
【図２】メイン画面の説明図である。
【図３】作成依頼情報入力画面の説明図である。
【図４】見本デザイン文字選択画面の説明図である。
【図５】作家登録画面の説明図である。
【図６】新規書体登録画面の説明図である。
【図７】アップデート画面の説明図である。
【符号の説明】
【００８１】
１  サーバ装置
２  電気通信回線
３  依頼者用クライアント装置
４  作家用クライアント装置
【図１】
2005085205.tif 000003
【図２】
2005085205.tif 000004
【図３】
2005085205.tif 000005
【図４】
2005085205.tif 000006
【図５】
2005085205.tif 000007
【図６】
2005085205.tif 000008
【図７】
2005085205.tif 000009